(57)【要約】【課題】安価に製造することができるミル刃及びその製造方法を提供する。【解決手段】円盤体１５０と、この円盤体１５０の一面側に設けられた刃部１５１を有して構成されるミル刃たる回転刃２２と固定刃２４であって、刃部１５１が複数の溝部１５５Ａ，１５５Ｂ，１５５Ｃ・・・１５５Ｐからなる溝部群１５５を有し、溝部群１５５を有する円盤体１５０が鋳造品であると共に、刃部１５１が、円盤体１５０の一面側を研磨することで形成されたものであるから、鋳造及びその後の研磨によって、カッター刃を有するミル刃を安価に製造することができる。【選択図】図１５
2018094436.tif 000002
【特許請求の範囲】
【請求項１】
円盤体と、この円盤体の一面側に設けられた刃部を有して構成されるミル刃であって、
前記刃部が複数の溝部からなる溝部群を有し、
前記溝部群を有する前記円盤体が鋳造品であると共に、
前記刃部が、前記円盤体の一面側を研磨することで形成されたものであることを特徴とするミル刃。
【請求項２】
前記刃部が、前記円盤体の一面側を平面状に研磨することで形成されたものであることを特徴とする請求項１記載のミル刃。
【請求項３】
円盤体と、この円盤体の一面側に設けられた刃部を有して構成されるミル刃の製造方法であって、
前記円盤体を、その一面側に複数の溝部からなる溝部群を有する状態で鋳造によって製造した後、
前記円盤体の一面側を研磨して前記溝部に刃部を形成することを特徴とするミル刃の製造方法。
【請求項４】
前記円盤体の一面側を平面状に研磨して前記溝部に刃部を形成することを特徴とする請求項３記載のミル刃の製造方法。
【発明の詳細な説明】
【技術分野】
【０００１】
本発明は、一面側に刃部を設けた円盤状のミル刃、及び、このミル刃の製造方法に関するものである。
【背景技術】
【０００２】
従来、この種のミル刃としては、回転刃である旋回臼盤及び固定刃である固定臼盤が、内周端から放射線方向に延びる導入凹部である凹溝を有し、この凹溝が、内周側から外周側に向かって徐々に浅くなる傾斜状をなし、途中で旋回臼盤の表面に達しており、また、旋回臼盤の上面に、複数列の鋸歯状凹凸が並んで形成され、周方向で一定範囲毎に、凹凸の列の並び方向が変化しているもの（例えば特許文献１）がある。
【０００３】
上記ミル刃では、固定臼盤の中央空間に押し込まれた焙煎豆は、更に、固定臼盤及び旋回臼盤の凹溝間に押し込まれて剪断された後、旋回臼盤と固定臼盤との凹凸列に噛み込まれ、細かく砕かれ挽かれることになり、十分に細かく挽き砕かれたあと、粉砕臼の外周端から外にこぼれ出る。
【先行技術文献】
【特許文献】
【０００４】
【特許文献１】特許第４５２３４３４号公報
【発明の概要】
【発明が解決しようとする課題】
【０００５】
しかしながら、上記ミル刃においては、一面側に同一深さの鋸歯状凹凸が並んで形成されたものであるから、前記凹溝から押し出された大きめに粉砕された飲料原料が、直ぐに細かい溝で一気に粉砕されるため、強力な電動機が必要であった。また、円盤状の臼盤に多数の細かい溝を形成するために、切削にて溝を刻む必要があり、臼盤が高価になるという問題もあった。
【０００６】
本発明は以上の問題点を解決し、安価に製造することができるミル刃及びその製造方法を提供することを目的とする。
【課題を解決するための手段】
【０００７】
本発明の請求項１に記載のミル刃は、円盤体と、この円盤体の一面側に設けられる刃部を有して構成されるミル刃であって、前記刃部が複数の溝部からなる溝部群を有し、前記溝部群を有する前記円盤体が鋳造品であると共に、前記刃部が、前記円盤体の一面側を研磨することで形成されたものである。
【０００８】
また、本発明の請求項２に記載のミル刃は、請求項１において、前記刃部が、前記円盤体の一面側を平面状に研磨することで形成されたものである。
【０００９】
また、本発明の請求項３に記載のミル刃の製造方法は、円盤体と、この円盤体の一面側に設けられる刃部を有して構成されるミル刃の製造方法であって、前記円盤体を、その一面側に複数の溝部からなる溝部群を有する状態で鋳造によって製造した後、前記円盤体の一面側を研磨して前記溝部に刃部を形成するものである。
【００１０】
更に、本発明の請求項４に記載のミル刃の製造方法は、請求項３において、前記円盤体の一面側を平面状に研磨して前記溝部に刃部を形成するものである。
【発明の効果】
【００１１】
本発明の請求項１に記載のミル刃は、以上のように構成することにより、鋳造及びその後の研磨によって、カッター刃を有するミル刃を安価に製造することができる。
【００１２】
なお、前記刃部が、鋳造品の前記円盤体の一面側を平面状に研磨することで形成されるので、容易且つ安価に加工することができる。
【００１３】
また、本発明の請求項３に記載のミル刃の製造方法は、以上のようにすることにより、鋳造及びその後の研磨によって、カッター刃を有するミル刃を安価に製造することができる。
【００１４】
更に、前記円盤体の一面側を平面状に研磨して前記溝部に刃部を形成することにより、容易且つ安価に加工することができる。
【図面の簡単な説明】
【００１５】
【図１】本発明の実施例１を示すミル装置としての電動ミル付きコーヒーメーカーにおいて、ミル部を取り外した状態の斜視図である。
【図２】同上、駆動ユニットの斜視図である。
【図３】同上、全体斜視図である。
【図４】同上、全体説明図である。
【図５】同上、回転刃取付部周りの分解斜視図である。
【図６】同上、固定刃取付部周りの分解斜視図である。
【図７】同上、ミル部のミルケース周りの分解斜視図である。
【図８】同上、ミル部の前後方向の縦断面図である。
【図９】同上、ミル部の平断面図である。
【図１０】同上、ミル部の左右方向の縦断面図である。
【図１１】同上、駆動ユニットの分解斜視図である。
【図１２】同上、固定刃を露出した状態のミル部の分解斜視図である。
【図１３】同上、回転刃を露出した状態のミル部の分解斜視図である。
【図１４】同上、駆動歯車と従動歯車の噛み合いを説明する説明図である。
【図１５】同上、回転刃及び固定刃の正面図である。
【図１６】同上、回転刃及び固定刃の拡大正面図である。
【図１７】同上、回転刃及び固定刃の一部の拡大正面図である。
【図１８】同上、回転刃及び固定刃の斜視図である。
【図１９】同上、回転刃及び固定刃の説明斜視図である。
【図２０】同上、回転刃及び固定刃の断面図である。
【図２１】本発明の実施例２を示すミル装置としての電動ミルにおいて、ミル部を取り外した状態の斜視図である。
【発明を実施するための形態】
【００１６】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１７】
以下、本発明の実施例１について、図１〜図２０に基づいて説明する。１は、ミル装置としての電動ミル付きコーヒーメーカーであり、このコーヒーメーカー１の本体たるケース本体２は、後側の立設部３と、この立設部３の下部と一体的に形成された前側の載置部４と、前記立設部３の上部と一体的に形成された庇部５とを備える。そして、前記立設部３に貯水部６が設けられており、この貯水部６には、外部の水を供給することができ、この例では、前記貯水部６が前記ケース本体２に着脱可能に設けられ、前記貯水部６には貯水容器（図示せず）が内蔵される。
【００１８】
前記貯水部６内には、図４に示すように、前記貯水容器内の水を加熱する加熱手段７が設けられる。また、ケース本体２には、前記加熱手段７により加熱して得られた湯を、ドリッパー８に送る送湯手段９が設けられる。なお、この送湯手段９としては、ポンプ等が例示される。
【００１９】
前記載置部４は、上方が開口すると共に、この開口を塞ぐように、略平面状の加熱板１１が設けられる。そして、この加熱板１１の下面には、ヒーター１２が熱的に接して設けられる。
【００２０】
前記加熱板１１上には、飲料サーバー１３が着脱可能に載置される。この飲料サーバー１３は、上方が開口した耐熱ガラス製の容器本体１４と、この容器本体１４の側板に取り付けられた合成樹脂製の把持部１５と、前記容器本体１４の上部開口を覆う合成樹脂製の蓋体１６とを備える。
【００２１】
前記立設部３の側部には、前記載置部４の飲料サーバー１３の上方に、上からミル部１７と、湯供給部１８と、抽出部たる前記ドリッパー８とが配置される。
【００２２】
ミル装置２０は、前記ケース本体２の上部に設けられ飲料原料であるコーヒー豆を細かくして排出する前記ミル部１７と、前記ケース本体２に設けられ前記ミル部１７を作動させる電動機２１とを有する。なお、前記ケース本体２及びミル装置２０において、前側が前後方向一側であり、後側が前後方向他側である。
【００２３】
前記ミル部１７は、前記ケース本体２の取付凹部１９に対して着脱可能に取り付けられる。そして、図１２及び図１３に示すように、前記ミル部１７は、円盤状の回転刃２２を設けた回転刃取付部２３と、円盤状の固定刃２４を設けた固定刃取付部２５と、に分解可能に構成される。なお、前記回転刃２２及び固定刃２４は円盤体１５０である。
【００２４】
図５等に示すように、前記回転刃取付部２３は、前側から前記回転刃２２と、この回転刃２２を取り付ける回転ホルダー３１と、カバー部材３２と、従動側伝達機構たる従動歯車３３とを備える。前記回転ホルダー３１は、前記回転刃２２を取り付ける円盤状の取付板３４と、この取付板３４の中心から前側に突設されたミルスクリュー３５とを一体に備え、このミルスクリュー３５の中心には貫通孔３６が穿設される。また、前記取付板３４の前面の周囲には、前記回転刃２２の周囲を挟む一対の突起部３７，３７が前側に突設される。
【００２５】
前記回転刃２２の一面側である前面には刃部１５１が設けられ、また、回転刃２２の中心には貫通孔１５２が穿設される。そして、前記取付板３４には複数の透孔３４Ａが穿設され、図８に示すように、後側から透孔３４Ａに挿通させたビス３８を前記回転刃２２の後面に螺合させることにより、前記取付板３４に前記回転刃２２が取り付けられる。なお、前記ビス３８は螺合式の固定手段である。
【００２６】
前記カバー部材３２は、円板部４１の中心に貫通孔４２を設け、この貫通孔４２の径より中心孔が大きな取付筒部４３を、前記円板部４１の前面に突設し、前記取付筒部４３内に軸受部材４４を固定している。また、前記円板部４１の周囲に外筒部４５が一体に設けられ、この外筒部４５が前方に突設され、この外筒部４５の内周に雌螺子部４５Ａが設けられる。また、前記外筒部４５の外周には、複数の滑り止め用凹部４５Ｂ，４５Ｂを設けて滑り止め部を構成する。
【００２７】
前記従動歯車３３の中心のハブ部４６には貫通孔４７が穿設され、この貫通孔４７の内周面には、回転軸係合部たる平面部（図示せず）が形成される。そして、金属棒等からなる回転軸４８が、前記ミルスクリュー３５の貫通孔３６にインサート成形等により固定される。前記回転軸４８は、その後側が前記軸受部材４４に回動自在に挿通されると共に、その後端が前記従動歯車３３の貫通孔４７に回り止め状態で挿通される。そして、ビス４９を前記回転軸４８の後端に螺合させることにより、この回転軸４８に前記従動歯車３３が固定される。
【００２８】
これにより、前記カバー部材３２に対して、前記ミルスクリュー３５を一体に設けた前記取付板３４と従動歯車３３とが回動自在に設けられ、これらミルスクリュー３５が一体に設けられた取付板３４，従動歯車３３及び回転軸４８により、従動側伝達構造５０が構成される。
【００２９】
前記固定刃取付部２５は、図７等に示すように、ミルケース５１と、このミルケース５１の上部に取り付けられた上ケース５２と、前記ミルケース５１の下部に取り付けられた下ケース５３とを備える。
【００３０】
前記ミルケース５１は、前記回転刃２２と固定刃２４を収納する筒状の収納筒部５５を有し、この収納筒部５５の前端に前壁部５６を設け、この前壁部５６の中央に貫通孔５６Ａを形成すると共に、この貫通孔５６Ａの後側に案内筒部５７を突設する。また、この案内筒部５７の位置に対応して、前記収納筒部５５の前側には、他より径小な径小部５５Ｂが形成される。前記固定刃２４の一面側である後面には、前記刃部１５１が設けられ、また、前記固定刃２４の中心には前記貫通孔１５２が穿設される。そして、前記固定刃２４の貫通孔１５２に前記案内筒部５７が挿入され、前記固定刃２４の厚さ方向の一部が前記案内筒部５７と径小部５５Ｂとの間に収納される。
【００３１】
また、前記固定刃取付部２５は、前記貫通孔５６Ａの前側に断面略Ｕ字状の案内壁部５８を有する。この案内壁部５８の前端に、該案内壁部５８の前側を塞ぐ縦壁部５９が設けられ、この該縦壁部５９に貫通孔５９Ａが設けられ、この貫通孔５９Ａの径より中心孔が大きな取付筒部６０が、前記縦壁部５９から前方に突設される。
【００３２】
前記取付筒部６０内には、軸受部材６１が固定され、後側から前記軸受部材６１内に前記回転軸４８の前端が着脱可能に挿入される。また、前記収納筒部５５の後部は開口し、該収納筒部５５の外周に雄螺子部５５Ａが形成され、この収納筒部５５の雄螺子部５５Ａに前記カバー部材３２の雌螺子部４５Ａが着脱可能に螺合する。
【００３３】
そして、前記回転軸４８の先端側を、前記収納筒部５５の貫通孔５６Ａと前記案内筒部５７の貫通孔５９Ａに後側から挿通させ、前記収納筒部５５の雄螺子部５５Ａに前記カバー部材３２の雌螺子部４５Ａを螺合させると共に、前記回転軸４８の先端を前記軸受部材６１に挿入させることにより、前記回転ホルダー３１の取付板３４及び前記回転刃２２が前記収納筒部５５内に収納されると共に、前記固定刃取付部２５に前記回転刃取付部２３が取り付けられ、前記ミル部１７内に前記回転ホルダー３１が回動可能に取り付けられる。
【００３４】
また、前記収納筒部５５の下部には、筒形の落下口６２が下方に向かって突設される。この落下口６２は、円筒状をなし、前記収納筒部５５内の底部と連通する。そして、コーヒー豆が、前記回転刃２２と固定刃２４との間で挽かれてコーヒー粉（挽き豆）となり、前記収納筒部５５内の前記コーヒー粉が前記落下口６２から前記ドリッパー８の中央に落下供給される。
【００３５】
前記ミル部１７には、図９等に示すように、コーヒー粉の粉砕度合（粒度）を調整する粒度調整手段６５が設けられる。この粒度調整手段６５は、前記回転刃２２の前面と固定刃２４の後面との間隔を調整することにより、コーヒー粉の粉砕度合を調整するものである。
【００３６】
前記粒度調整手段６５について、具体的に説明する。前記固定刃取付部２５には、固定刃用ホルダー６６が前後位置調整可能に設けられる。図６等に示すように、前記固定刃用ホルダー６６は、前記取付筒部６０の外側に配置される円筒状の前筒部６７を有し、この前筒部６７の前端に、内鍔部６７Ａが周設される。また、前記前筒部６７の後側左右には、側壁部６８，６８が設けられる。これら左右の側壁部６８，６８は、前記案内壁部５８の外周面に沿って配置される。そして、前記側壁部６８，６８の後端に取付部６９，６９がそれぞれ設けられ、これら取付部６９，６９側が前記収納筒部５５の挿通開口部６３，６３に挿通された状態で、前記取付部６９，６９の後面に前記固定刃２４の前面が固定される。
【００３７】
図７に示すように、前記ミルケース５１の前壁部５６の左右には、左右の前記取付部６９，６９が遊挿される前記挿通開口部６３，６３が設けられる。左右の前記取付部６９，６９には、それぞれ透孔６９Ａ，６９Ａが穿設される。そして、図９に示すように、前記透孔６９Ａに挿通されたビス７０を前記固定刃２４の前面に螺合させることで、左右の前記取付部６９，６９に前記固定刃２４が固定される。また、前記固定刃用ホルダー６６の前記内鍔部６７Ａと前記ミルケース５１の前記縦壁部５９との間には、付勢手段たるコイルスプリング７１が前記取付筒部６０に外装して設けられる。このコイルスプリング７１は、前記ミルケース５１に対して前記固定刃用ホルダー６６を前側に移動させるように付勢する。
【００３８】
前記粒度調整手段６５は、操作部である回転式のダイヤル７２を有する。このダイヤル７２は、押圧体７３の前板部７４の前に固定される。前記押圧体７３は、前記前板部７４の後部に押圧筒部７５が一体に設けられ、この押圧筒部７５に雌螺子部７５Ａが形成される。そして、前記取付筒部６０には雄螺子部６０Ａが設けられ、この雄螺子部６０Ａに前記雌螺子部７５Ａが螺合する。この螺合により、前記ミルケース５１に対して前記押圧体７３が進退可能に設けられる。
【００３９】
そして、前記ダイヤル７２により前記押圧体７３が捩じ込む方向に回されることにより、前記押圧筒部７５が後退し、この押圧筒部７５の後端７５Ｂに前記固定刃用ホルダー６６が押されて後退すると共に、前記コイルスプリング７１が圧縮される。これによって、前記固定刃２４と回転刃２２の間隔が狭まる。一方、前記ダイヤル７２を逆に回すと、前記コイルスプリング７１の弾性復元力により前記固定刃用ホルダー６６が前進する。これによって、前記固定刃２４と回転刃２２の間隔が開く。
【００４０】
また、前記粒度調整手段６５は、図６及び図９に示すように、前記ダイヤル７２の回転角度を規定するクリック手段７７を備える。このクリック手段７７は、筒体７８を有する。この筒体７８は、その前側外周に鍔部７８Ａが周設される。そして、前記筒体７８は、前記固定刃用ホルダー６６の前記前筒部６７内に挿入配置されると共に、前記鍔部７８Ａが前記取付筒部６０の前縁に当接する。この際、この取付筒部６０の前縁に設けられた凸部６０Ｂが、前記鍔部７８Ａに形成された切欠部７８Ｂと係合することで、前記筒体７８が前記取付筒部６０に対し回り止め状態とされる。また、前記筒体７８の中心から外れた位置で、この筒体７８の前側に、取付筒部７９が一体に突設される。この取付筒部７９内にクリック杆８０が前後スライド可能に挿入され、このクリック杆８０の後で前記取付筒部７９内に、付勢手段たるコイルスプリング８１が配置される。そして、このコイルスプリング８１により、前記クリック杆８０が前側に付勢される。
【００４１】
更に、前記押圧体７３の前板部７４には、前記クリック杆８０が係入する複数のクリック凹部８３，８３・・・が形成される。これらのクリック凹部８３，８３・・・は、前記押圧体７３の回転中心を中心として、円周方向に等間隔に配置される。そして、図９に示すように、前記クリック杆８０の先端８０Ｓは、凸状湾曲面に形成される。前記クリック凹部８３は段付き孔に形成され、この段付き孔の径大部８３Ａに、前記先端８０Ｓが係入する。
【００４２】
従って、前記クリック杆８０の先端８０Ｓが前記クリック凹部８３に係合している状態で、前記ダイヤル７２を回すと、前記コイルスプリング８１が収縮して、前記クリック凹部８３から前記クリック杆８０の先端８０Ｓが外れ、この先端８０Ｓが隣のクリック凹部８３に係入する際、弾性復元力により前記コイルスプリング８１が伸長し、所定のクリック感が得られる。そして、クリックの回数に応じて、前記固定刃２４と回転刃２２の間隔を調整することができる。このため、前記ダイヤル７２には、前記クリック凹部８３に対応して、粉砕度合を示す目盛りを設けるようにしてもよい。
【００４３】
図７に示すように、前記上ケース５２は、平面円形の上部開口８５を有するホッパー８６を有する。このホッパー８６は、前記上ケース５２の一部を構成する。また、前記ホッパー８６の底面部８６Ａの左右には、下部開口８７，８７が設けられる。そして、これら下部開口８７，８７の下にシュート部８８が設けられ、このシュート部８８の下部が前記案内壁部５８（図６）の上部の開口に連通する。また、前記上ケース５２の上部開口８５には、蓋体８９が着脱可能に設けられる。
【００４４】
前記ホッパー８６の前側には、上前カバー部９１が一体に設けられる。図８等に示すように、この上前カバー部９１は、前記上ケース５２の一部を構成し、前記ミルケース５１の前側上部を覆う。そして、前記上前カバー部９１の前面部９２には、前記押圧筒部７５が挿通される挿通孔９３が穿設される。
【００４５】
前記下ケース５３は、前記ミルケース５１の下部周囲を覆う下ケース本体９５と、前記ミルケース５１の前側下部を覆うＵ字状の下前カバー部９６とを一体に有する。そして、この下前カバー部９６の前縁部９６Ａは、前記上前カバー部９１の前面部９２の後面に当接する（図８）。また、前記下ケース５３は前記ミルケース５１の後側下部を覆って前記上ケース５２に固定される。更に、前記下ケース本体９５には切欠部９７が形成され、この切欠部９７から前記落下口６２が下方に突設される。
【００４６】
前記ミル部１７には、着脱操作部１０１が設けられる。この着脱操作部１０１は、図７及び図１０等に示すように、前記ホッパー８６の左右の外側面に形成されたスライド凹部１０２，１０２に、スライダ１０３，１０３を左右方向移動可能に設けることで構成される。これらのスライダ１０３，１０３は、それぞれ左右方向に形成されるスライド板１０４の外側に、このスライド板１０４より幅広な係止爪部１０５が設けられ、この係止爪部１０５の外縁部１０５Ａが斜めに形成される。前記係止爪部１０５の上部には、板状の縦部１０６が設けられる。この縦部１０６の上部には、横方向の摘み部１０７が外側に突設する。そして、前記縦部１０６と前記スライド凹部１０２の底面との間には、付勢手段たるコイルスプリング１０８が配置され、このコイルスプリング１０８により前記スライダ１０３が外側に付勢される。前記縦部１０６の前後両側縁には、当接縁部１０６Ａ，１０６Ａが突設され、これら当接縁部１０６Ａ，１０６Ａが当接する抜け止め縁部１０２Ａ，１０２Ａが、前記スライド凹部１０２の前後両側の縦縁の外端に内側向きに形成される。即ち、前記スライダ１０３の外側への移動範囲は、前記当接縁部１０６Ａが前記抜け止め縁部１０２Ａに当接する位置までに規制される。なお、図１０では、前記スライダ１０３が後退した状態を実線で示し、前記摘み部１０７を押す前の状態を鎖線で示す。そして、前記着脱操作部１０１は、前記スライダ１０３が鎖線の位置にある状態で、その係止爪部１０５が後述する係止孔部１１９に係止する。
【００４７】
前記ミルケース５１の収納筒部５５の上側左右には、腕部１１１，１１１が外向きに突設され、これらの腕部１１１，１１１の上面に、それぞれ前記スライド板１０４がスライドするスライド溝部１１２が形成される。また、前記下ケース本体９５の上縁の左右には、前記腕部１１１，１１１に対応して外鍔部１１３，１１３が設けられる。これら左右の外鍔部１１３，１１３には、前記腕部１１１，１１１が嵌合状態で載置される。そして、この状態で前記外鍔部１１３の透孔１１４にビス１１５（図７）を挿通し、このビス１１５を前記上ケース５２に固定することで、上，下ケース５２，５３が一体化される。
【００４８】
前記取付凹部１９は、前記ケース本体２の前面と上面に開口する略Ｕ字状の前側凹部１１６と、この前側凹部１１６の後側に位置し、ケース本体２の上面に開口する円形の後側凹部１１７を有する。前記前側凹部１１６には、前記上ケース５２と下ケース５３の前側が収納され、収納状態で前記前面部９２が前記庇部５の前面と略面一となる。一方、前記後側凹部１１７には、前記上ケース５２と下ケース５３の後側が収納され、収納状態で前記上前カバー部９１の上面が前記庇部５の上面と略面一となると共に、前記上ケース５２の上部開口８５が前記庇部５の上面から突出する。
【００４９】
前記後側凹部１１７の左右には、左右の前記スライダ１０３，１０３に対応して、左右の操作用凹部１１８，１１８が形成される。これら左右の操作用凹部１１８，１１８の底面部１１８Ａ，１１８Ａの下部には、左右の側面部が垂設され、左右の側面部の上部に、係止部たる前記係止爪部１０５，１０５が係止可能なスリット状の係止受部たる前記係止孔部１１９，１１９が形成される。
【００５０】
従って、前記取付凹部１９に前記ミル部１７を上方から挿入すると、前記係止爪部１０５の外縁部１０５Ａが、前記係止孔部１１９の上方の前記底面部１１８Ａの角部に当接する。ここから前記ミル部１７を下に押し込むと、前記外縁部１０５Ａの傾斜により、前記スライダ１０３が後退すると共に、前記コイルスプリング１０８が収縮する。これによって、前記係止爪部１０５が角部を通過する。前記係止爪部１０５が角部を通過した後、前記コイルスプリング１０８が伸長して、前記係止爪部１０５が前記係止孔部１１９に係止される。これによって、前記取付凹部１９に前記ミル部１７が固定される。
【００５１】
逆に、左右の前記摘み部１０７，１０７を内側に押すと、前記係止孔部１１９から前記係止爪部１０５が抜け出し、前記取付凹部１９から前記ミル部１７を取り外すことができる。
【００５２】
前記ケース本体２内には、駆動ユニット１２１が設けられる。この駆動ユニット１２１は、前記従動歯車３３に噛合する駆動歯車１２２を有する。図２及び図１１に示すように、前記駆動ユニット１２１は、前側ホルダー１２３と後側ホルダー１２４とを有する。前記前側ホルダー１２３と後側ホルダー１２４は、一体的に組み立てられる。また、前記後側ホルダー１２４には、前記電動機２１が取り付けられる。そして、この電動機２１の回転軸には、電動機側歯車１２６が設けられる。なお、前記前側ホルダー１２３は前収納部１２７を有し、後側ホルダー１２４は後収納部１２８を有する。これら前，後収納部１２７，１２８の内部には、減速歯車群１２９が配置される。
【００５３】
前記減速歯車群１２９は、第１の回転板１３０及び第２の回転板１３０Ａを有する。前記第１の回転板１３０の後部には、４本の軸部１３１，１３１，１３１，１３１が突設され、これらの軸部１３１，１３１，１３１，１３１に減速歯車１３２，１３２，１３２，１３２が回動可能に設けられる。そして、これら減速歯車１３２，１３２，１３２，１３２の中央で、前記電動機側歯車１２６が各減速歯車１３２，１３２，１３２，１３２に噛合する。一方、これら減速歯車１３２，１３２，１３２，１３２の外周側は、前記前収納部１２７の内面に形成された図示しない内歯車に噛合する。また、前記第１の回転板１３０の前側中央には、伝達歯車１３３が一体に設けられる。そして、前記第１の回転板１３０の前側には、前記第２の回転板１３０Ａが配置される。この第２の回転板１３０Ａの後部には、４本の軸部１３１Ａ，１３１Ａ，１３１Ａ，１３１Ａが突設され、これらの軸部１３１Ａ，１３１Ａ，１３１Ａ，１３１Ａに減速歯車１３２Ａ，１３２Ａ，１３２Ａ，１３２Ａが回動可能に設けられる。そして、これら減速歯車１３２Ａ，１３２Ａ，１３２Ａ，１３２Ａの中央で、前記伝達歯車１３３が各減速歯車１３２Ａ，１３２Ａ，１３２Ａ，１３２Ａに噛合する。一方、これら減速歯車１３２Ａ，１３２Ａ，１３２Ａ，１３２Ａの外周側は、前記前収納部１２７の内面に形成された図示しない内歯車に噛合する。また、前記第２の回転板１３０Ａの前側中央には、前記駆動歯車１２２が一体に設けられる。前記第１の回転板１３０の後側には、前記軸部１３１の後端に近接する歯車ホルダー１３４が設けられる。また、前記第２の回転板１３０Ａの軸部１３１の後端は第１の回転板１３０の前面に近接する。前記歯車ホルダー１３４は、前記軸部１３１の後端が近接する円板状の前面部１３４Ａと、この前面部１３４Ａの後部に一体に設けられた筒部１３４Ｂとを有する。そして、前記前面部１３４Ａの中央部には、中心貫通孔１３４Ｃが貫通して形成される。そして、前記電動機側歯車１２６は、前記中心貫通孔１３４Ｃに挿通され、前記前面部１３４Ａの前側において、前記電動機側歯車１２６が減速歯車１３２，１３２，１３２，１３２に噛合する。なお、前記第１の回転板１３０の軸部１３１から前記歯車ホルダー１３４の前面部１３４Ａまでの距離は、前記減速歯車１３２の軸方向長さよりも短い。同様に、前記第２の回転板１３０Ａの軸部１３１Ａから前記第１の回転板１３０の前面までの距離も、前記減速歯車１３２Ａの軸方向長さよりも短い。そして、前記電動機側歯車１２６と減速歯車１３２と図示しない内歯車とで、遊星歯車機構による減速機構が構成される。この部位において、前記電動機側歯車１２６が太陽歯車、前記減速歯車１３２が遊星歯車となる。同様に、前記伝達歯車１３３と減速歯車１３２Ａと図示しない内歯車とで、遊星歯車機構による減速機構が構成される。この部位において、前記伝達歯車１３３が太陽歯車、前記減速歯車１３２Ａが遊星歯車となる。
【００５４】
前記前側ホルダー１２３の前記前収納部１２７の前側には、前面部１３５が一体に設けられる。この前面部１３５の前面には、左右一側である右側に側部開口部１３６を有する切欠筒部１３７が設けられる。また、この切欠筒部１３７の右側には、正面視で略Ｕ字状の縦凹部１３８が設けられる。
【００５５】
前記切欠筒部１３７内に後側から前記駆動歯車１２２が挿入配置された状態で、前記ケース本体２内に前記駆動ユニット１２１が固定され、前記側部開口部１３６から前記駆動歯車１２２の側部が、前記前側ホルダー１２３の前面部１３５の前側に露出する。また、前記縦凹部１３８には、その上部開口１３８Ａから前記従動歯車３３のハブ部４６の後端が遊挿される。
【００５６】
前記駆動歯車１２２と従動歯車３３は、何れも平歯車であり、それぞれの回転中心軸１２２Ｊ，３３Ｊの軸方向が水平且つ平行である。そして、前記ケース本体２に前記ミル部１７を取り付けた状態で、前記駆動歯車１２２と従動歯車３３の回転中心軸１２２Ｊ，３３Ｊは、水平方向にずれて並ぶ。また、前記回転中心軸１２２Ｊ，３３Ｊは同じ高さで並ぶことが望ましく、本実施例では、図１４に示すように、取付状態で、前記回転中心軸１２２Ｊ，３３Ｊが同一高さで噛合する。なお、この例では、前記従動歯車３３の回転中心軸３３Ｊは、前記回転軸４８の中心軸である。
【００５７】
これによって、上述したように、前記ミル部１７を前記ケース本体２の取付凹部１９に取り付ける際に、前記従動歯車３３が回転しながら前記駆動歯車１２２と噛み合うので、この駆動歯車１２２と従動歯車３３を確実に噛み合わせることができる。また、図１４に示すように、前記駆動歯車１２２は、従動歯車３３との噛み合い側が下方に移動するように右回りに回転する。これによって、有負荷時に前記従動歯車３３、ひいては前記ミル部１７が下方に押し付けられるように力が働く。即ち、前記ミル部１７が前記ケース本体２から外れる方向とは逆の方向に力が働く。
【００５８】
図４に示すように、前記湯供給部１８のケース１４１の中央には、前記落下口６２が着脱自在に挿入接続される挿通孔１４２が縦設される。そして、前記ミル部１７を前記取付凹部１９に取り付けることにより、前記挿通孔１４２に前記落下口６２が接続される。また、前記挿通孔１４２の下部には、この挿通孔１４２を開閉するシャッター１４３が設けられる。
【００５９】
前記ケース１４１には接続部１４４が設けられ、この接続部１４４に、前記送湯手段９から送液路９Ａを通して湯が送られる。そして、前記ケース１４１には、前記湯を前記ドリッパー８に供給するノズル１４５が複数設けられる。また、前記ドリッパー８内には、ペーパーフィルター１４６が交換可能に配置される。更に、前記ドリッパー８の底部には、止液弁１４７が設けられる。なお、１０は、ミル装置としてのコーヒーメーカー１を使用する際に操作されるスイッチである。
【００６０】
以下、本発明の前記回転刃２２と前記固定刃２４の構成について説明する。なお、前記回転刃２２と前記固定刃２４は取付位置及び回転の有無以外は同一構成である。
【００６１】
図１５〜図２０に示すように、前記回転刃２２と前記固定刃２４を構成する前記円盤体１５０は、中央に円形の前記貫通孔１５２を有する。そして、前記円盤体１５０の一面側には、２組の導入凹部１５３，１５３と前記刃部１５１，１５１が回転対称に設けられている。前記刃部１５１は、外周側ほど細く且つ浅くなるように形成された複数（１６本）の溝部１５５Ａ，１５５Ｂ，１５５Ｃ・・・１５５Ｐからなる溝部群１５５を有する。なお、前記各溝部１５５Ａ，１５５Ｂ，１５５Ｃ・・・１５５Ｐは、外周側ほど相対回転方向に対し遅れるように形成される。
【００６２】
白抜き矢印で示す方向が前記回転刃２２の回転方向であり、前記溝部１５５Ａ，１５５Ｂ，１５５Ｃ・・・１５５Ｐは、正面視で、その回転方向前側に前側湾曲縁部１５６を有すると共に、その回転方向後側の後側湾曲縁部によりカッター刃１５７を有する。なお、前記溝部１５５Ａのみ、前側湾曲縁部１５６も前カッター刃１５７Ａとなる。そして、前記各溝部１５５Ａ，１５５Ｂ，１５５Ｃ・・・１５５Ｐは、前記溝部１５５Ａが回転方向前端に位置し、回転方向後側に向かってアルファベット順に並んで設けられている。
【００６３】
また、正面視で、前記各前側湾曲縁部１５６及びカッター刃１５７，１５７Ａは、回転方向前側が凸となるように湾曲する。即ち、前記溝部１５５Ａ，１５５Ｂ，１５５Ｃ・・・１５５Ｐは、内端側から外端側の交点部１５８に向かって、回転方向後側に湾曲する。なお、前記前側湾曲縁部１５６とカッター刃１５７は、何れも円弧状であり、それらの曲率半径が同じである。そして、前側湾曲縁部１５６の外端とカッター刃１５７の外端は、前記円盤体１５０の外周近傍位置において、前記交点部１５８で交わる。
【００６４】
前記交点部１５８と前記円盤体１５０の外周部１５０Ｇとの間には、前記一面側において隙間１５９が設けられる。なお、前記前側湾曲縁部１５６の外端とカッター刃１５７の外端は、前記外周部１５０Ｇに達しない。このように、前記隙間１５９を設けることにより、飲料原料の破砕時に前記カッター刃１５７，１５７Ａ同士が直接接触して破損することが防止される。
【００６５】
図１７等に示すように、前記溝部１５５Ａ，１５５Ｂ，１５５Ｃ・・・１５５Ｐは、回転方向前側となる前記前側湾曲縁部１５６側よりも、回転方向後側となる前記カッター刃１５７側が深く形成される。そして、前記カッター刃１５７側において、前記溝部１５５Ａ，１５５Ｂ，１５５Ｃ・・・１５５Ｐは、略垂直に起立する。これによって、前述した通り、前記溝部の回転方向後側の後側湾曲縁部が前記カッター刃１５７となる。従って、平坦な一面側に前記各溝部１５５Ａ，１５５Ｂ，１５５Ｃ・・・１５５Ｐを形成することにより、所定深さを有する前記カッター刃１５７，１５７・・・が形成される。なお、前記溝部１５５Ａ，１５５Ｂ，１５５Ｃ・・・１５５Ｐの底面１６０は、前記円盤体１５０の回転方向（周方向）において、前記カッター刃１５７，１５７Ａの底縁１５７Ｔから前記前側湾曲縁部１５６に向かって高くなるように傾斜し、この前側湾曲縁部１５６において、前記底面１６０が前記円盤体１５０の一面側の平面部１６１と同一高さになる。また、前記溝部１５５Ａ，１５５Ｂ，１５５Ｃ・・・１５５Ｐの底面１６０は、前記貫通孔１５２から外周に向かって徐々に浅くなるように形成される。
【００６６】
更に、図１８などに示すように、前記カッター刃１５７，１５７Ａと前記底縁１５７Ｔの間の縦刃面１５７Ｍは、前記底縁１５７Ｔから前記カッター刃１５７，１５７Ａに向かって略垂直に形成される。前記縦刃面１５７Ｍは、垂直であることが望ましいが、前記縦刃面１５７Ｍの上方ほど回転方向後側に向かって、ごく僅かに傾斜するようにしても良い。前記縦刃面１５７Ｍの傾斜角度は、垂直を基準として１度未満、本例では０．５度である。なお、前記縦刃面１５７Ｍの高さが、前記カッター刃１５７、即ち前記溝部１５５Ａ，１５５Ｂ，１５５Ｃ・・・１５５Ｐの深さである。
【００６７】
前記導入凹部１５３は、前記貫通孔１５２側に設けられ、正面視において、前記回転方向前側から前記回転方向後側に向かって外周側に大きくなるように形成される。また、前記導入凹部１５３は、図１８に示すように、前記回転方向前側から前記回転方向後側に向かって深くなるように湾曲面状に形成される。更に、前記導入凹部１５３は、前記貫通孔１５２側から外周側に向かって浅くなるように、直径方向において斜めに形成される。
【００６８】
前記導入凹部１５３の前記回転方向後端には、回転方向前端に位置する前カッター刃１５７Ａの縦刃面１５７Ｍが位置する。そして、前記前カッター刃１５７Ａの縦刃面１５１Ｍは、他のカッター刃１５７の縦刃面１５１Ｍより深く形成されている。また、前記前カッター刃１５７Ａの前記回転方向後側には、隣り合う組の前カッター刃１５７Ａまでの間に、第２〜第１６のカッター刃１５７，１５７，１５７・・・が前記溝部群１５５により形成されている。なお、前記前カッター刃１５７Ａは、前記第１の溝部１５５Ａの回転方向前側に位置する。
【００６９】
回転方向に隣り合う前記溝部１５５Ａ，１５５Ｂ，１５５Ｃ・・・１５５Ｐの間には、前記平面部１６１が設けられる。なお、前記平面部１６１の内端は、正面視で回転方向前側の前記カッター刃１５７と回転方向後側の前側湾曲縁部１５６との交点１６２である。一方、前記平面部１６１の外端は、前記外周部１５０Ｇに連続する。なお、図１７に示すように、隣り合う第１６の溝部のカッター刃１５７と前カッター刃１５７Ａも、交点１６２により連結される。
【００７０】
また、回転方向に隣り合う溝部１５５Ａ，１５５Ｂ，１５５Ｃ・・・１５５Ｐの形成間隔Ｋは、少なくとも一部が、回転方向後側ほど徐々に狭くなるように形成されている。具体的には、回転方向に隣り合う溝部１５５Ａ，１５５Ｂ，１５５Ｃ・・・１５５Ｐの形成間隔Ｋは、回転方向に隣り合う溝部１５５Ａ，１５５Ｂ，１５５Ｃ・・・１５５Ｐの前記交点部１５８，１５８の間隔である。そして、第１の溝部１５５Ａの先端の交点部１５８から第７の溝部１５５Ｇの先端の交点部１５８までの形成間隔Ｋは等しく、第７の溝部１５５Ｇの先端の交点部１５８から、第１６の溝部１５５Ｐの先端の交点部１５８までの形成間隔Ｋが、回転方向後側に向かって徐々に小さくなるように形成される。
【００７１】
更に、前記導入凹部１５３を形成することにより、前記各溝部１５５Ａ，１５５Ｂ，１５５Ｃ・・・１５５Ｐの貫通孔１５２側の内周側縁１６３は、回転方向後側に向かって徐々に外周側に近付くように配置される。これにより、前記各溝部１５５Ａ，１５５Ｂ，１５５Ｃ・・・１５５Ｐの径方向の寸法は、回転方向後側に行くほど溝部の長さが徐々に短くなる。
【００７２】
なお、図１５乃至図１９に示すように、第１〜第４の溝部１５５Ａ〜１５５Ｄの内端の内側には、凹面１６４がそれぞれ設けられる。これらの凹面１６４は、正面視で、前記溝部１５５Ａ〜１５５Ｄの内周側縁１６３よりも内側の略三角形の部分である。なお、前記各凹面１６４は、前記導入凹部１５３の湾曲面と一致する。そして、前記内周側縁１６３は、前記カッター刃１５７と交点１６３Ｋにより交差し、この交点１６３Ｋから前記貫通孔１５２に向かって前記カッター刃１５７の内側部１５７Ｕが低くなるように斜めに形成される。なお、内側部１５７Ｕ以外のカッター刃１５７，１５７Ａは、前記平面部１６１と同一平面に位置する。
【００７３】
そして、図１５等に示すように、前記導入凹部１５３は、第５の溝部１５５Ｅから第１６の溝部１５５Ｐの位置まで連続して形成される。また、前述した通り、前記各凹面１６４は、前記導入凹部１５３とは分断しているものの、前記導入凹部１５３の一部である。
【００７４】
次に、前記円盤体１５０の製造工程について説明する。この円盤体１５０は、鋳造及び研磨によって製造される。即ち、まず前記円盤体１５０と略同形状の図示しない原型を作成し、この原型から同じく図示しない砂型等の鋳型を作成する。そして、前記円盤体１５０は、前記鋳型に熔けた鋳鉄又は鋳鋼を流し込み、冷却後に型から取り出し、更にゲートで固まった部分等の不要箇所を除去することで製造される。なお、本発明の円盤体１５０は、前記各溝部１５５Ａ〜１５５Ｐ及び導入凹部１５３が大きく且つ数が少ないため、鋳造で容易に製造することができる。従って、後加工で多くの細かい溝を形成する従来の構造に比べて、安価に製造することができる。更に、鋳造直後の状態では、前記溝部１５５Ａ〜１５５Ｐの後側湾曲縁部は鈍い。従って、前記溝部１５５Ａ〜１５５Ｐの後側湾曲縁部は、このままではカッター刃１５７，１５７Ａとして良好に機能しない。このため、前記平面部１６１全体を平面状に研磨する。このように、前記平面部１６１を平面状に研磨することで、前記溝部１５５Ａ〜１５５Ｐの後側湾曲縁部、及び前記溝部１５５Ａの前側湾曲縁部１５６に前記カッター刃１５７，１５７Ａが形成される。なお、前記平面部１６１は、全体が平面状に研磨されるので、後加工で多くの細かい溝を形成する従来の構造に比べて、容易且つ安価に加工される。
【００７５】
次に、前記コーヒーメーカー１の使用方法の一例について説明する。まず使用者は、前記ドリッパー８を前記庇部５の下方から水平に引き出して、前記ドリッパー８内に前記ペーパーフィルター１４６をセットした後、前記ドリッパー８を前記庇部５の下方へ水平に押し込む。そして、前記飲料サーバー１３を前記載置部４の加熱板１１上に載置する。なお、前記飲料サーバー１３が前記加熱板１１上にセットされると、前記飲料サーバー１３の蓋体１６に設けられた湾曲面状の凸部１６Ａが、前記止液弁１４７に当接することによって、前記止液弁１４７が押し上げられて開く。そして、前記貯水部６内に、抽出するコーヒー液の杯数に応じた量の水を入れる。更に、前記ミル部１７の前記蓋体８９を外し、投入口である前記上部開口８５から前記ホッパー８６内に所定量のコーヒー豆を入れる。なお、この段階では、前記シャッター１４３が前記落下口６２を塞いだ状態であり、前記ミル部１７とドリッパー８内とが連通していない。
【００７６】
そして、使用者が前記スイッチ１０を操作すると、四つの動作が同時に行われる。一つ目は、シャッター進退手段（図示せず）が、前記落下口６２を開く方向に、前記シャッター１４３を移動させることである。これによって、前記落下口６２が開き、前記ミル部１７が前記ドリッパー８内と連通する。二つ目は、前記ミル装置２０を動作させることである。これによって、前記ミル装置２０によりコーヒー豆が挽かれてコーヒー粉が得られ、このコーヒー粉が前記落下口６２から前記ドリッパー８のペーパーフィルター１４６内に落下供給される。三つ目が、前記加熱手段７への通電を開始することである。これによって、前記貯水部６内の水が加熱されて湯となる。更に、四つ目が、前記ヒーター１２への通電を開始することである。これによって、前記加熱板１１に載置された前記飲料サーバー１３が温められる。
【００７７】
前記ミル装置２０においては、コーヒー豆を投入する前に前記ダイヤル７２を操作し、好みの粒度に調整しておく。そして、前記ミル装置２０を動作させるために、前記電動機２１を作動させると、この電動機２１の回転が前記減速歯車群１２９により減速され、前記駆動歯車１２２に伝達され、この駆動歯車１２２に噛合した従動歯車３３が回転する。
【００７８】
この場合、図１４に示すように、前記駆動歯車１２２は、前記従動歯車３３との噛み合い側が下方に移動するように回転する。これによって、有負荷時に前記従動歯車３３、ひいては前記ミル部１７が下方に押し付けられるように力が働く。即ち、前記ミル部１７が前記ケース本体２から外れる方向とは逆の方向に力が働くため、前記ミル部１７を安定して駆動させることができる。
【００７９】
コーヒー豆は前記ホッパー８６の下部開口８７，８７から前記シュート部８８に落下し、回転する前記ミルスクリュー３５により前記収納筒部５５内に送られる。そして、この収納筒部５５内において、コーヒー豆は、前記固定刃２４と回転する前記回転刃２２により粉砕される。
【００８０】
具体的には、コーヒー豆は、回転する前記ミルスクリュー３５により、前記固定刃２４の貫通孔１５２から、前記回転刃２２と固定刃２４の導入凹部１５３，１５３間に送り込まれる。そして、回転刃２２の回転運動により送り込まれたコーヒー豆が、対向した刃部１５１，１５１の前カッター刃１５７Ａ及び複数のカッター刃１５７，１５７・・・により粉砕される。即ち、前記導入凹部１５３，１５３間に送られたコーヒー豆は、まず前記前カッター刃１５７Ａ，１５７Ａによって剪断される。この際、コーヒー豆は二つに切断される訳ではなく、粗く粉砕される。前記前カッター刃１５７Ａ，１５７Ａによって粗く粉砕されたコーヒー豆は、前記前カッター刃１５７Ａ，１５７Ａよりも回転方向後側の前記各溝部１５５Ａ〜１５５Ｐに送られる。そして、前述した通り、前記各溝部１５５Ａ，１５５Ｂ，１５５Ｃ・・・１５５Ｐが外周側ほど相対回転方向に対し遅れるように形成されるので、前記回転刃２２の溝部１５５Ａ〜１５５Ｐと固定刃２４の溝部１５５Ａ〜１５５Ｐが協働して、粉砕されたコーヒー豆が前記回転刃２２及び固定刃２４の遠心方向に送られると共に、前記回転刃２２のカッター刃１５７，１５７・・・と前記固定刃２４のカッター刃１５７，１５７・・・が協働して、粉砕されたコーヒー豆が更に剪断され、細かく粉砕される。そして、前記カッター刃１５７，１５７・・・によって粉砕されたコーヒー豆は、更に回転方向後側の溝部１５５Ｂ〜１５５Ｐに送られた後、これらの溝部１５５Ｂ〜１５５Ｐにて同様に遠心方向に送られると共に、更に細かく粉砕される。このようなコーヒー豆の移動及び粉砕が繰り返されることで、コーヒー豆は細かく粉砕され、前記回転刃２２と固定刃２４の外周から排出される。
【００８１】
この際、前記刃部１５１は外周側ほど細く且つ浅くなるように形成された複数の溝部１５５Ａ，１５５Ｂ，１５５Ｃ・・・１５５Ｐからなる溝部群１５５を有する。このため、前記導入凹部１５３に送られたコーヒー豆は、前記各溝部１５５Ａ，１５５Ｂ，１５５Ｃ・・・１５５Ｐの深さの変化に応じて徐々に細かくなるように粉砕される。従って、コーヒー豆を一気に細かく粉砕することにならないので、小出力の前記電動機２１でも効率よくコーヒー豆を挽くことができる。更に、小出力の前記電動機２１でも前記減速機構を用いて低速で良好にコーヒー豆を挽くことができるので、粉砕時にコーヒー豆の温度があまり上昇せず、コーヒー豆の風味が損なわれにくい。
【００８２】
また、前述した通り、前記溝部群１５５における溝部１５５Ａ，１５５Ｂ，１５５Ｃ・・・１５５Ｐの形成間隔Ｋのうち、第７の溝部１５５Ｇから第１６の溝部１５５Ｐまでの形成間隔Ｋが、回転方向後側ほど徐々に狭くなるように構成される。前述した通り、前記各溝部１５５Ａ，１５５Ｂ，１５５Ｃ・・・１５５Ｐの前側湾曲縁部１５６と後側湾曲縁部とが同じ曲率半径の円弧であること、前記導入凹部１５３が回転方向後側ほど外周側に大きくなるように構成されることから、回転方向後側の溝部ほど、最大幅が狭く形成される。このため、溝部１５５Ａ，１５５Ｂ，１５５Ｃ・・・の形成間隔Ｋを全て等しくしてしまうと、回転方向後側では溝部同士が離れ、溝部間に前記平面部１６１が広く存在することになってしまう。前記溝部群１５５における回転方向後側の溝部が、その前後の溝部と接するように形成すると、前述のように、溝部の形成間隔Ｋが回転方向後側ほど徐々に狭くなるように形成される。このように前記溝部１５５Ａ，１５５Ｂ，１５５Ｃ・・・１５５Ｐを形成することで、回転方向後側で溝部１５５Ｇ，１５５Ｈ・・・１５５Ｐの形成間隔Ｋを詰めることができるので、あるカッター刃１５７で粉砕されたコーヒー豆が、速やかに次の溝部１５５Ｈ・・・１５５Ｐに入ってその溝部のカッター刃１５７で粉砕される。これによって、前記溝部群１５５における回転方向後側におけるコーヒー豆の粉砕効率を高めることができるばかりでなく、コーヒー豆を良好に粉砕することができる。
【００８３】
更に、前記回転刃２２と固定刃２４の一面側は、前記導入凹部１５３及び溝部群１５５が同一形状に形成されると共に、前記刃部１５１，１５１がそれぞれ回転対称に形成されるから、前記回転刃２２と固定刃２４とを合わせて間で粉砕することにより、前記回転軸４８を中心として対称となる位置でコーヒー豆が粉砕されるので、コーヒー豆を粉砕する際の負荷をほぼ均等にして、コーヒー豆を良好に粉砕することができる。
【００８４】
なお、前記ミル装置２０は、所定量のコーヒー豆を全て挽くのに十分な時間が経過すると、停止する。
【００８５】
そして、前記ミル装置２０の動作が停止すると、前記シャッター進退手段（図示せず）が前記シャッター１４３を動かすことで、このシャッター１４３が前記落下口６２を塞ぐ。そして、前記シャッター１４３が前記落下口６２を塞いだ後、前記貯水部６内の水は、前記加熱手段７によって、所定の温度（８５〜９０℃）の湯となる。この貯水部６内の湯が所定の温度に達したことが温度センサ（図示せず）により検知されると、前記加熱手段７への通電を停止した後、前記貯水部６内の湯が前記送湯手段９により前記送液路９Ａを介して前記湯供給部１８に送られ、複数の前記ノズル１４５から、湯が斜め下方に向かって噴射される。この噴射による給湯が、所定時間、例えば８秒間連続して行われた後、所定蒸らし時間である２０秒間給湯が停止し、この間、コーヒー粉が蒸らされる。
【００８６】
蒸らし時間が経過したら、前記貯水部６内の湯を全て連続給湯する。なお、前述した通り、前記貯水部６内の水の量が、抽出するコーヒー液の杯数に応じた量であるので、前記貯水部６内の全ての湯を前記ドリッパー８に供給すれば、所定の杯数のコーヒー液が得られることになると共に、前記貯水部６内が空になる。
【００８７】
前記ドリッパー８において抽出されたコーヒー液は、前記止液弁１４７を通過した後、前記蓋体１６の透孔を通過して、前記飲料サーバー１３内に溜まる。そして、この飲料サーバー１３を前記載置部４から取り外すと、コイルスプリング等の付勢手段（図示せず）によって前記止液弁１４７が押し下げられて閉じ、前記ドリッパー８からコーヒー液が滴下するのを防止することができる。
【００８８】
使用後、前記ミル装置２０を清掃するには、前記スライダ１０３，１０３の摘み部１０７，１０７の間隔を狭めるように持って前記係止爪部１０５を前記係止孔部１１９から外し、前記ミル部１７を持ち上げて前記取付凹部１９から取り外す。前記ミル部１７を取り外した後、前記回転刃取付部２３のカバー部材３２を回して、前記固定刃取付部２５のミルケース５１との螺合を解除し、前記固定刃取付部２５から前記回転刃取付部２３を引き抜くようにして取り外す。
【００８９】
このように、前記ミル部１７を前記固定刃取付部２５と回転刃取付部２３に分解することにより、図１２及び図１３に示すように、前記固定刃２４と回転刃２２が露出し、前記回転刃２２及び前記回転刃取付部２３内に残ったコーヒー粉や、前記固定刃２４及び前記固定刃取付部２５の内部に残ったコーヒー粉を簡便に掃除することができる。
【００９０】
前記ミル部１７の内部を清掃した後、前記ミルスクリュー３５を前記固定刃取付部２５内に挿入し、前記回転軸４８の先端を前記軸受部材６１に挿入すると共に、前記収納筒部５５の雄螺子部５５Ａに前記カバー部材３２の雌螺子部４５Ａを螺合して、前記ミル部１７を組み立てることができるから、組立も容易である。
【００９１】
前記ミル部１７の組立後、このミル部１７を上方から前記取付凹部１９に挿入すると、前記係止爪部１０５の外縁部１０５Ａが前記底面部１１８Ａの角部に当接する。ここから前記ミル部１７を下方に押し込むと、前記コイルスプリング１０８が収縮し、前記係止爪部１０５が前記底面部１１８Ａの角部を通過して前記係止孔部１１９に係止する。これによって、前記取付凹部１９に前記ミル部１７を取り付けることができる。このように前記ミル部１７を前記取付凹部１９に取り付ける際に、降下する前記従動歯車３３は、回転しながら前記取付凹部１９内の駆動歯車１２２と噛み合うので、この駆動歯車１２２と前記従動歯車３３を確実に噛み合わせることができる。なお、図１４では、前記従動歯車３３は、右回りに回動しながら前記駆動歯車１２２と噛み合う。そして、前記ミル部１７を前記取付凹部１９に取り付けると、前記駆動歯車１２２と従動歯車３３の回転中心軸１２２Ｊ，３３Ｊは、水平方向にずれて、同じ高さで並ぶ。
【００９２】
以上のように本実施例は、円盤体１５０と、この円盤体１５０の一面側に設けられた刃部１５１を有して構成されるミル刃たる回転刃２２と固定刃２４であって、前記刃部１５１が複数の溝部１５５Ａ，１５５Ｂ，１５５Ｃ・・・１５５Ｐからなる溝部群１５５を有し、前記溝部群１５５を有する前記円盤体１５０が鋳造品であると共に、前記刃部１５１が、前記円盤体１５０の一面側を研磨することで形成されたものであるから、鋳造及びその後の研磨によって、カッター刃を有する前記回転刃２２と固定刃２４を安価に製造することができる。
【００９３】
また、前記刃部１５１が、前記円盤体１５０の一面側を平面状に研磨することで形成されたものであるから、前記回転刃２２と固定刃２４を容易且つ安価に加工することができる。
【００９４】
また、円盤体１５０と、この円盤体１５０の一面側に設けられた刃部１５１を有して構成されるミル刃たる回転刃２２と固定刃２４の製造方法であって、前記円盤体１５０を、その一面側に複数の溝部１５５Ａ，１５５Ｂ，１５５Ｃ・・・１５５Ｐからなる溝部群１５５を有する状態で鋳造によって製造した後、前記円盤体１５０の一面側を研磨して前記溝部１５５Ａ，１５５Ｂ，１５５Ｃ・・・１５５Ｐに刃部１５１を形成するから、鋳造及びその後の研磨によって、カッター刃を有する前記回転刃２２と固定刃２４を安価に製造することができる。
【００９５】
更に、前記円盤体１５０の一面側を平面状に研磨して前記溝部１５５Ａ，１５５Ｂ，１５５Ｃ・・・１５５Ｐに刃部１５１を形成するから、容易且つ安価に加工することができる。
【００９６】
このように本発明のミル刃としての回転刃２２及び固定刃２４は、鋳造及びその後の簡単な研磨によって製造されるので、安価に且つ容易に製造することができる。
【００９７】
以下、実施例上の効果として、貫通孔１５２を有する円盤体１５０と、この円盤体１５０の一面側に設けられた導入凹部１５３及び刃部１５１とを有して構成されるミル刃たる回転刃２２と固定刃２４であって、前記刃部１５１が、外周側ほど細く且つ浅くなるように形成された複数の溝部１５５Ａ，１５５Ｂ，１５５Ｃ・・・１５５Ｐからなる溝部群１５５を有し、前記導入凹部１５３が、前記貫通孔１５２側に設けられると共に、回転方向後側ほど深く且つ外周側に大きくなるように形成されるから、前記刃部１５１が、回転方向後側ほど細く且つ浅くなるように形成された複数の溝部１５５Ａ，１５５Ｂ，１５５Ｃ・・・１５５Ｐからなる溝部群１５５を有することになるため、円盤体１５０の回転により、飲料原料たるコーヒー豆が前記円盤体１５０の回転方向前内側から回転方向後外側に移動するに従って徐々に小さくなるように粉砕され、良好に飲料原料を挽くことができる。このため、コーヒー豆を一気に細かく粉砕せず、徐々に細かく粉砕することになるので、出力の小さな電動機でも良好にコーヒー豆を粉砕することができる。また、このような構成とすることで、溝部１５５Ａ，１５５Ｂ，１５５Ｃ・・・１５５Ｐの形成密度が小さくなるので、前記円盤体１５０に前記刃部１５１を安価に形成することができる。
【００９８】
また、前記溝部群１５５における溝部１５５Ａ，１５５Ｂ，１５５Ｃ・・・１５５Ｐの形成間隔Ｋが、回転方向後側ほど徐々に狭くなるように構成される部位を回転方向後側に有するから、回転方向後側の箇所でも、回転方向前側で粉砕されたコーヒー豆を速やかに後側の次の溝部に入れて粉砕することができるので、コーヒー豆を良好に粉砕することができる。
【００９９】
また、前記導入凹部１５３及び前記溝部群１５５の組が複数（本例では２組）形成されると共に、これらの組が回転対称に形成されることで、前記回転刃２２の回転軸４８を中心として対称となる位置でコーヒー豆が粉砕されるので、コーヒー豆を粉砕する際の負荷をほぼ均等にして、コーヒー豆を良好に粉砕することができる。
【０１００】
更に、同一のミル刃である回転刃２２と固定刃２４が、それらの刃部１５１，１５１同士が対向するように設置され、一方が回転刃２２、他方が固定刃２４とされるから、前記回転刃２２の回転軸４８を中心として対称となる位置でコーヒー豆が粉砕されるので、コーヒー豆を粉砕する際の負荷をほぼ均等にして、コーヒー豆を良好に粉砕することができる。
【０１０１】
この場合、例えば、前記固定刃２４の前カッター刃１５７Ａと回転刃２２の前カッター刃１５７Ａによって剪断・粉砕されたコーヒー豆の破片が第１の溝部１５５Ａに入り、前述した通り、この第１の溝部１５５Ａ内を遠心方向に移動した後、前記固定刃２４の第１のカッター刃１５７と前記回転刃２２の何れかのカッター刃１５７によって剪断・粉砕されて第２の溝部１５５Ｂに入る。このように、粉砕されたコーヒー豆の前記各溝部１５５Ａ，１５５Ｂ，１５５Ｃ・・・１５５Ｐにおける遠心方向への移動と、前記カッター刃１５７、１５７による剪断・粉砕が繰り返されることで、コーヒー豆を徐々に細かくするように、良好に粉砕することができる。
【０１０２】
以下、実施例上の効果として、前記カッター刃１５７，１５７Ａ及び前記溝部１５５Ａ，１５５Ｂ，１５５Ｃ・・・１５５Ｐが前記円盤体１５０の中央側から外周側に向かって回転方向に対し遅れるように湾曲形成されるから、粉砕されたコーヒー粉は円滑に外周部１５０Ｇ側へと排出される。また、第１の溝部１５５Ａに比べて深い導入凹部１５３を形成することにより、前記前カッター刃１５７Ａの縦刃面１５７Ｍは、他のカッター刃１５７の縦刃面１５７Ｍより深く形成される。これによって、前記前カッター刃１５７Ａの縦刃面１５７Ｍでコーヒー豆を粗粉砕することができる。更に、前記導入凹部１５３は、前記円盤体１５０の回転方向前側から回転方向後側に向かって深くなるように形成されるから、貫通孔１５２から導入凹部１５３内に送られたコーヒー豆が、導入凹部１５３により前記前カッター刃１５７Ａに案内され、この前カッター刃１５７Ａにより粗粉砕された後、回転方向後側の前記カッター刃１５７により徐々に所望の粒度に粉砕される。
【０１０３】
また、第１〜第４の溝部１５５Ａ，１５５Ｂ，１５５Ｃ，１５５Ｄの前側に位置する前カッター刃１５７Ａ及び第１〜第３のカッター刃１５７，１５７，１５７の内角部に凹面１６４を形成しているから、コーヒー豆により前記内角部の破損及び部分的な摩耗を防止することができる。更に、前記導入凹部１５３及び溝部群１５５の組が２組形成されると共に、これら２組が回転対称に形成されているから、コーヒー豆を粉砕する際の負荷をほぼ均等にして、コーヒー豆を良好に粉砕することができる。また、導入凹部１５３及び前記溝部群１５５の組が２組形成され、２組の両方の導入凹部１５３が前記円盤体１５０の周方向の４分の１以上の範囲に形成されているから、コーヒー豆を前記導入凹部１５３内に円滑に導入することができる。
【０１０４】
また、本体たるケース本体２と、このケース本体２の上部に設けられて飲料原料たるコーヒー豆を細かくして排出するミル部１７と、前記ケース本体２に設けられて前記ミル部１７を作動させるための電動機２１と、を有するミル装置２０において、前記ミル部１７が前記ケース本体２に対し着脱可能に取り付けられ、前記ミル部１７が、従動側伝達機構たる従動歯車３３と、この従動歯車３３に接続されて前記ミル部１７に対し着脱可能に取り付けられた円盤状の回転刃２２と、この回転刃２２と対向して設けられて前記ミル部１７に固定された円盤状の固定刃２４とを有すると共に、前記ケース本体２に、前記電動機２１によって回転させられて前記従動歯車３３と着脱可能に結合する駆動側伝達機構たる駆動歯車１２２とを有するから、前記ケース本体２から前記ミル部１７全体を取り外した後、このミル部１７から前記従動歯車３３ごと前記回転刃２２を取り外すことで、前記回転刃２２の手入れを容易に行うことができるばかりでなく、前記ミル部１７を持って前記固定刃２４の手入れを容易に行うことができる。
【０１０５】
なお、前記駆動側伝達機構が前記駆動歯車１２２であり、前記従動側伝達機構が前記従動歯車３３であるから、前記ミル部１７のケース本体２に対する着脱構造の自由度を高めることができる。
【０１０６】
また、前記駆動歯車１２２の回転中心軸１２２Ｊが水平に設けられると共に、前記ミル部１７が前記ケース本体２に対し前記回転中心軸１２２Ｊと交差する上方から着脱可能であり、前記回転中心軸１２２Ｊの方向と平行に係脱するものでないから、前記ミル部１７をケース本体２に対し容易に着脱させることができるばかりでなく、前記歯車３３，１２２同士を容易に噛み合わせることができる。
【０１０７】
また、前記ミルスクリュー３５を前記回転刃取付部２３に設けたから、前記固定刃取付部２５から前記回転刃取付部２３を外すことにより、前記案内壁部５８内から前記ミルスクリュー３５を引き抜き、前記ミルケース５１内を掃除し易くなる。また、前記ミル部１７が組み立てられた状態で、前記収納筒部５５内に前記固定刃２４と回転刃２２が収納されるから、この回転刃２２と前記カバー部材３２との間に、コーヒー粉が侵入し難く、手入れが容易となる。また、前記粒度調整手段６５を前記固定刃取付部２５に組み込み、前記固定刃用ホルダー６６を収納筒部５５の前壁部５６に挿通して前記固定刃用ホルダー６６の後側を収納筒部５５内に配置し、前記固定刃用ホルダー６６を前後位置調整可能に構成し、前記固定刃２４の位置を調整するから、飲料原料の粒度の調整を安定して行うことができる。更に、前記後側凹部１１７の左右には、左右の前記スライダ１０３，１０３に対応して、左右の前記操作用凹部１１８，１１８が形成されているから、前記ミル部１７を取り外し易い。また、前記縦凹部１３８には、その上部開口１３８Ａから前記従動歯車３３のハブ部４６の後端が遊挿されるから、前記ミル部１７の取り付けの際、前記従動歯車３３のハブ部４６が前記縦凹部１３８に案内されて取付作業を安定して行うことができる。更に、前記取付板３４の前面の周囲には、前記回転刃２２の周囲を挟む一対の前記突起部３７，３７が前側に突設されており、前記回転刃２２と共に前記突起部３７，３７が前記収納筒部５５の内周に近接して回転することにより、前記収納筒部５５の内周に溜まるコーヒー粉を除去することができる。
【０１０８】
更に、前記減速歯車群１２９は、第１の回転板１３０の後部に４本の軸部１３１，１３１，１３１，１３１を突設し、各軸部１３１，１３１，１３１，１３１に遊星歯車である減速歯車１３２，１３２，１３２，１３２を回動可能に設け、これら減速歯車１３２，１３２，１３２，１３２の中央で太陽歯車である前記電動機側歯車１２６が各減速歯車１３２，１３２，１３２，１３２に噛合し、第１の回転板１３０の一側面である前側中央に太陽歯車である前記伝達歯車１３３が一体に設けられており、前記第２の回転板１３０Ａの他側面である後側に前記伝達歯車１３３より歯数の少ない複数の遊星歯車である減速歯車１３２Ａ，１３２Ａ，１３２Ａ，１３２Ａを回動可能に設け、このように、減速機構を遊星歯車機構で構成したから、小さいスペースで高い減速効果が得られる。
【０１０９】
また、複数の前記ノズル１４５の中央に、前記ミル部１７の落下口６２を設けたから、コーヒー粉を前記ドリッパー８の中央に落下供給することができる。また、前記落下口６２を開閉手段たる前記シャッター１４３により開閉することができる。更に、前記取付凹部１９に対する前記ミル部１７の着脱により、前記落下口６２を前記湯供給部１８の接続受け部たる前記挿通孔１４２に接続及び接続解除することができる。
【実施例２】
【０１１０】
図２１は本発明の実施例２を示し、上記実施例１と同一部分に同一符号を付し、その説明を省略して詳述する。同図は電動式のミル装置２００であり、そのケース本体２０１には、ミル部１７と駆動ユニット１２１とが設けられる。
【０１１１】
同図に示すように、前記ケース本体２０１は略直方体形状をなす。このケース本体２０１の上部に取付凹部１９が設けられ、この取付凹部１９に前記ミル部１７が着脱自在に設けられる。また、前記ケース本体２０１の上部後側に、前記駆動ユニット１２１が内蔵される。
【０１１２】
前記ケース本体２０１の下部前側に、前記ミル部１７の落下口６２から落下したコーヒー粉を収納する収納ケース２０２が内蔵される。この収納ケース２０２は、前記ケース本体２０１の前面下部に設けられた開口部２０３から引出し可能に構成されると共に、その前面に取っ手部２０４が設けられる。
【０１１３】
以上のように本実施例は、ミル刃たる回転刃２２と固定刃２４と、これら回転刃２２と固定刃２４とを備えたミル装置２００であるから、上記実施例１と同様な作用・効果を奏する。
【０１１４】
また、本体たるケース本体２０１と、このケース本体２０１の上部に設けられて飲料原料たるコーヒー豆を細かくして排出するミル部１７と、前記ケース本体２０１に設けられて前記ミル部１７を作動させるための電動機２１と、を有するミル装置２００において、前記ミル部１７が前記ケース本体２０１に対し着脱可能に取り付けられ、前記ミル部１７が、従動側伝達機構たる従動歯車３３と、この従動歯車３３に接続されて前記ミル部１７に対し着脱可能に取り付けられた円盤状の回転刃２２と、この回転刃２２と対向して設けられて前記ミル部１７に固定された円盤状の固定刃２４とを有すると共に、前記ケース本体２０１に、前記電動機２１によって回転させられて前記従動歯車３３と着脱可能に結合する駆動側伝達機構たる駆動歯車１２２とを有するから、上記実施例１と同様な作用・効果を奏する。
【０１１５】
なお、本発明は以上の実施例に限定されるものではなく、発明の要旨の範囲内で種々の変実施が可能である。例えば、上記実施例では、導入凹部及び溝部群が２組のものを例示したが、導入凹部及び溝部群は１組或いは３組以上でも良い。また、上記実施例では、湾曲状の溝部を備えた刃部を示したが、溝部は略三角形状のものでもよく、略三角形状の溝部の場合も、溝部の交点部が内周側縁より回転方向後側に位置するように斜めに溝部を配置することが好ましい。更に、従動歯車と駆動歯車の回転中心軸は同一高さとすることが好ましいが、従動歯車の回転中心軸を駆動歯車の回転中心軸より高い位置にして従動歯車と駆動歯車が咬合するようにしても良い。この場合、回転中心軸同士が真上に位置しないように回転中心軸の平面位置をずらすようにすることが好ましい。また、本発明のミル装置は、コーヒー豆を粉砕するのに好適なものであるが、コーヒー豆以外でも例えばお茶等を粉砕するものでもよい。
【符号の説明】
【０１１６】
２０  ミル装置
２２  回転刃（ミル刃）
２４  固定刃（ミル刃）
１５０  円盤体
１５１  刃部
１５５  溝部群
１５５Ａ〜１５５Ｐ  溝部
２００  ミル装置
【図１】
2018094436.tif 000003
【図２】
2018094436.tif 000004
【図３】
2018094436.tif 000005
【図４】
2018094436.tif 000006
【図５】
2018094436.tif 000007
【図６】
2018094436.tif 000008
【図７】
2018094436.tif 000009
【図８】
2018094436.tif 000010
【図９】
2018094436.tif 000011
【図１０】
2018094436.tif 000012
【図１１】
2018094436.tif 000013
【図１２】
2018094436.tif 000014
【図１３】
2018094436.tif 000015
【図１４】
2018094436.tif 000016
【図１５】
2018094436.tif 000017
【図１６】
2018094436.tif 000018
【図１７】
2018094436.tif 000019
【図１８】
2018094436.tif 000020
【図１９】
2018094436.tif 000021
【図２０】
2018094436.tif 000022
【図２１】
2018094436.tif 000023